(57)【要約】【課題】簡易な構造で確実に気密性を保持できる照明器具を提供する。【解決手段】器具本体２０の上開口２１を覆うカバー２３は、器具本体２０の上面２０１から外側へ突出する突出部２３４を有しており、器具本体２０の外周面２０２の上端部に、上方へ向かって内側へ傾斜するテーパ部２０３が設けられている。そして、突出部２３４の下面とテーパ部２０３に接触するように、弾性を有する弾性リング２８を設けたので、弾性リング２８がその弾性力により縮むとともに、テーパ部２０３に沿って上昇し、カバー２３の突出部２３４に押し付けられる。これにより、簡易な構造で、確実に気密性を保持できる。【選択図】図３
2013045713.tif 000002
【特許請求の範囲】
【請求項１】
上下に開口を有する筒状の器具本体と、
前記器具本体の上開口を覆うカバーと、を有し、
前記カバーは、前記器具本体の上面から外側へ突出する突出部を有し、
前記器具本体の外周面の上端部に、上方へ向かって内側へ傾斜するテーパ部を設け、
前記突出部の下面と前記テーパ部に接触し弾性を有する弾性リングを設けた照明器具。
【請求項２】
請求項１に記載の照明器具において、
前記弾性リングの周長は、前記テーパ部の周長よりも短い照明器具。
【発明の詳細な説明】
【技術分野】
【０００１】
本発明は、天井や壁面等の被取付部に取り付けて、例えば下方を照明するのに好適な照明器具に関するものである。
【背景技術】
【０００２】
従来より、壁面等の被取付部に取り付けて、例えば下方を照明するのに好適な照明器具が知られている（例えば、特許文献１参照）。
図４（Ａ）および（Ｂ）に示すように、特許文献１に記載の照明器具１００は、取付金具１０１により、屋外の壁面や柱に取り付けられて使用される。照明器具１００は、取付金具１０１によって取り付けられるフレンジ１０２を有しており、フレンジ１０２にはカバー１０３が取り付けられる。
【０００３】
カバー１０３には装飾用カバー１０６が取り付けられており、装飾用カバー１０６の内部には、電球１０４を内包するグローブ１０５を有する。ここで、この照明器具１００は屋外で使用されるものであるため、グローブ１０５を密閉して、電球１０４に雨水等がかからないように取り付けられる。
【０００４】
すなわち、図４（Ｂ）に示すように、グローブ１０５の下端部は外側に向かって拡がっており、ゴムや樹脂製のパッキン１０７に押し込まれている。パッキン１０７は、ワッシャ１０８によりカバー１０３に固定される。
従って、カバー１０３の突起１０９を加締めることにより、ワッシャ１０８がパッキン１０７をカバー１０３の突起１１０に押し付け、突起１０９と突起１１０との間で圧縮して、気密性を保持してグローブ１０５を保持する。
これにより、グローブ１０５の内部を密閉する。
【先行技術文献】
【特許文献】
【０００５】
【特許文献１】実開平２−１８２１１号公報（第１図）
【発明の概要】
【発明が解決しようとする課題】
【０００６】
しかしながら、前述したような従来の照明器具においては、加締めやねじでパッキンを締め付けて密閉するため、加締めやねじの締め付けの強度によって不都合が生じる。すなわち、締め付けが強すぎると、パッキンがちぎれる恐れがある。また、締め付けが弱すぎると、外れて密閉できない場合もあるという問題があった。
【０００７】
本発明は、従来の問題を解決するためになされたもので、簡易な構造で確実に気密性を保持できる照明器具を提供することを目的とする。
【課題を解決するための手段】
【０００８】
本発明の照明器具は、上下に開口を有する筒状の器具本体と、前記器具本体の上開口を覆うカバーと、を有し、前記カバーは、前記器具本体の上面から外側へ突出する突出部を有し、前記器具本体の外周面の上端部に、上方へ向かって内側へ傾斜するテーパ部を設け、前記突出部の下面と前記テーパ部に接触し弾性を有する弾性リングを設けたものである。
【０００９】
また、本発明の照明器具は、前記弾性リングの周長は、前記テーパ部の周長よりも短いものである。
【発明の効果】
【００１０】
本発明では、器具本体の上開口を覆うカバーは、器具本体の上面から外側へ突出する突出部を有しており、器具本体の外周面の上端部に、上方へ向かって内側へ傾斜するテーパ部が設けられている。そして、突出部の下面とテーパ部に接触するように、弾性を有する弾性リングを設けたので、弾性リングがその弾性力により縮むとともに、テーパ部に沿って上昇し、カバーの突出部に押し付けられる。これにより、簡易な構造で、確実に気密性を保持できるという効果を有する照明器具を提供できる。
【図面の簡単な説明】
【００１１】
【図１】本発明に係る実施形態の照明器具の一部破断の斜視図
【図２】天井に取り付けられた照明器具の断面図
【図３】図２中ＩＩＩ部分の拡大断面図
【図４】（Ａ）は従来の照明器具の断面図であり、（Ｂ）は（Ａ）中Ｂ部分の拡大断面図
【発明を実施するための形態】
【００１２】
以下、本発明に係る実施形態の照明器具について、図面を用いて説明する。
図１および図２に示すように、本発明に係る実施形態の照明器具１０は、天井１１に設けられている取付孔１２に取り付けて、下方および斜め下方を照明するのに用いることができる。
【００１３】
照明器具１０は、上面および下面が開口（上開口２１、下開口２２）した略円筒形状の器具本体２０を有する。器具本体２０の上側には、上開口２１を覆うカバー２３が装着される。器具本体２０の下端部外側には鍔部２４が円形リング状に張り出して設けられている。
従って、器具本体２０は、鍔部２４を天井１１の下面に当接させて、器具本体２０の外周面２０２に設けられている取付金具（図示省略）で天井１１の上面（裏面）を押圧することにより、天井１１の取付孔１２に取り付けられる。
【００１４】
器具本体２０とカバー２３との間には、リング状の回転板２５が回転可能に挟まれる。回転板２５には、回転板２５の中心に対して対称位置に、一対のアーム部２６が下方へ突出して設けられている。アーム部２６の先端には、灯具３０が取付ねじ２７により回動可能に取り付けられる。
【００１５】
灯具３０は略円筒形状の灯具本体３１を有しており、灯具本体３１の高さ方向中央部には、灯具本体３１内を、上空間３２および下空間３３に仕切る隔壁３５が設けられている。隔壁３５の下面３５１には、光源であるＬＥＤユニット３４が取り付けられている。
すなわち、ＬＥＤユニット３４は、灯具３０の下空間３３に収容されている。なお、ＬＥＤユニット３４は、１個の場合および複数個の場合がある。
【００１６】
従って、灯具３０は、回転板２５を水平方向へ回転（図１中矢印Ａ参照）させることにより水平面内で回転し、アーム部２６の取付ねじ２７を中心として上下方向に回動（図２中矢印Ａ参照）させることにより、所望の方向へ向けることができる。
【００１７】
図３に示すように、カバー２３は、円筒形状に上方へ延びて上開口２１を覆うカップ状のカバー本体２３１と、カバー本体２３１の下端部において外側へ水平に設けられる円板状の取付部２３２を有する。
従って、取付部２３２を、ねじ２３３で器具本体２０の上面２０１にねじ止めすることにより、カバー２３は器具本体２０に取り付けられる。
カバー２３の取付部２３２は、器具本体２０の上面２０１から外側（図３において右側）へ突出する突出部２３４を有する。突出部２３４は、取付部２３２の全周にわたって設けられるのが望ましい。
【００１８】
器具本体２０の外周面２０２の上端部には、上方に向かって内側（図３において左側）に傾斜するテーパ部２０３が、外周面２０２の全周にわたって設けられている。
従って、カバー２３の突出部２３４と、器具本体２０のテーパ部２０３との間には、三角形状の空間が形成される。この空間には、突出部２３４の下面およびテーパ部２０３に接触し弾性を有する弾性リング２８が設けられる。
【００１９】
弾性リング２８は、例えば、ゴム製で、管状の部材を用いることができる。弾性リング２８は、その周長がテーパ部２０３における周長（すなわち、器具本体２０の外周面２０２の周長）よりも短いものを用いる。
従って、弾性リング２８をテーパ部２０３に装着する際には、引き延ばして装着することになり、装着後に手を放すと弾性力により常時収縮するので、弾性リング２８はテーパ部２０３に沿って突出部２３４の下面に押し付けられる（図３中矢印Ａ参照）。これにより、弾性リング２８は、テーパ部２０３およびカバー２３の突出部２３４に密着する。
【００２０】
以上、説明した本発明に係る実施形態の照明器具１０によれば、器具本体２０の上開口２１を覆うカバー２３は、器具本体２０の上面２０１から外側へ突出する突出部２３４を有する。また、器具本体２０の外周面２０２の上端部に、上方へ向かって内側へ傾斜するテーパ部２０３が設けられている。
そして、突出部２３４の下面とテーパ部２０３に接触するように、弾性を有する弾性リング２８を設けたので、弾性リング２８がその弾性力により縮むとともに、テーパ部２０３に沿って上昇し、カバー２３の突出部２３４に押し付けられる。
これにより、簡易な構造で、確実に気密性を保持できる。
【００２１】
また、弾性リング２８の周長はテーパ部２０３の周長よりも短いので、常時、弾性リング２８は縮もうとして、カバー２３の突出部２３４の下面と器具本体２０のテーパ部２０３に押し付けられる。
これにより、簡易な構造で、確実に気密性を保持できる。
【００２２】
なお、本発明の照明器具は、前述した実施形態に限定されるものでなく、適宜な変形，改良等が可能である。
すなわち、前述した実施形態においては、弾性リング２８として、円管状の断面を有する部材を例示したが、本発明はその他の断面形状の部材にも適用可能である。例えば、管状ではなく円形断面の部材や、三角形断面等も適用可能である。
【符号の説明】
【００２３】
１０  照明器具
２０  器具本体
２０１  上面
２０２  外周面
２０３  テーパ部
２１  上開口（開口）
２２  下開口（開口）
２３  カバー
２３４  突出部
２８  弾性リング
【図１】
2013045713.tif 000003
【図２】
2013045713.tif 000004
【図３】
2013045713.tif 000005
【図４】
2013045713.tif 000006